(57)【要約】【課題】光学式ピックアップによってディスクに信号を記録することが出来る光ディスク記録再生装置のチルト制御方法を提供する。【解決手段】ディスク１の内周側に設けられている試し書き領域にチルト調整用コイル７に供給するオフセット検出用の駆動信号のレベルを変化させながらオフセット調整用信号を記録した後該オフセット調整用信号の再生動作を行い、再生されるＲＦ信号のピークレベルを検出し、その検出されるピークレベルが最大となる信号を記録したときにチルト調整用コイル７へ供給された駆動信号のレベルをオフセット値として設定し、チルト制御を行うチルト信号に前記オフセット値を加算することによってチルト制御を行う。【選択図】    図１
2004192754.tif 000002
【特許請求の範囲】
【請求項１】
対物レンズの傾きを調整するチルト調整用コイルを備えた光学式ピックアップを使用する光ディスク記録再生装置において、ディスクの内周側に設けられている試し書き領域にチルト調整用コイルに供給するオフセット検出用の駆動信号のレベルを変化させながらオフセット調整用信号を記録した後該オフセット調整用信号の再生動作を行い、再生されるＲＦ信号のピークレベルを検出し、その検出されるピークレベルが最大となる信号を記録したときにチルト調整用コイルへ供給された駆動信号のレベルをオフセット値として設定し、チルト制御を行うチルト信号に前記オフセット値を加算することによってチルト制御を行うようにしたことを特徴とする光ディスク記録再生装置のチルト制御方法。
【請求項２】
対物レンズの傾きを調整するチルト調整用コイルを備えた光学式ピックアップを使用する光ディスク記録再生装置において、ディスクの内周側に設けられている試し書き領域にチルト調整用コイルに供給するオフセット検出用の駆動信号のレベルを変化させながらオフセット調整用信号を記録した後該オフセット調整用信号の再生動作を行い、再生されるＲＦ信号のボトムレベルを検出し、その検出されるボトムレベルが最小となる信号を記録したときにチルト調整用コイルへ供給された駆動信号のレベルをオフセット値として設定し、チルト制御を行うチルト信号に前記オフセット値を加算することによってチルト制御を行うようにしたことを特徴とする光ディスク記録再生装置のチルト制御方法。
【請求項３】
対物レンズの傾きを調整するチルト調整用コイルを備えた光学式ピックアップを使用する光ディスク記録再生装置において、ディスクの内周側に設けられている試し書き領域にチルト調整用コイルに供給するオフセット検出用の駆動信号のレベルを変化させながらオフセット調整用信号を記録した後該オフセット調整用信号の再生動作を行い、再生されるＲＦ信号のピークレベル及びボトムレベルを検出し、その検出されるピークレベルとボトムレベルとの差が最大となる信号を記録したときにチルト調整用コイルへ供給された駆動信号のレベルをオフセット値として設定し、チルト制御を行うチルト信号に前記オフセット値を加算することによってチルト制御を行うようにしたことを特徴とする光ディスク記録再生装置のチルト制御方法。
【発明の詳細な説明】
【０００１】
【発明の属する技術分野】
本発明は、光学式ピックアップより照射されるレーザーによってディスクに信号を記録するとともにレーザーによってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、再生機能に加えて光学式ピックアップより照射されるレーザーによってディスクに信号を記録することが出来るように構成された光ディスク記録再生装置が商品化されている。
【０００３】
光ディスク記録再生装置では、光学式ピックアップより照射されるレーザー光をディスク面の信号トラックに対して正確に照射する必要があり、フォーカス制御動作及びトラッキング制御動作が行われる。斯かるフォーカス制御動作は、対物レンズをディスク面方向へ変位させるフォーカシングコイルに駆動電流を供給することにより行われ、トラッキング制御動作は対物レンズをディスクの径方向へ変位させるトラッキングコイルに駆動電流を供給することにより行われる。
【０００４】
最近では、ディスクに多くの信号を記録するために信号の高密度化が行われており、高密度化を行うためには、レーザー光を最適な状態にてディスク面に照射する必要がある。斯かる動作を行うために、ディスクと対物レンズとの相対的な角度ズレを補正する動作、即ちチルト調整動作を行うことが出来るように構成された光学式ピックアップが開発されている(例えば、特許文献１参照。) 。
そして、ディスクに対する光学式ピックアップの傾きを検出し、その傾きを調整する技術が開発されている(例えば、特許文献２参照。)。
【０００５】
【特許文献１】
特開２００２−１９７６９８号公報
【特許文献２】
特開２００１−５２３６２号公報
【０００６】
【発明が解決しようとする課題】
特許文献２に記載の技術は、光学式ピックアップのディスクに対する傾きを検出するチルトセンサーを設け、そのチルトセンサーより得られる信号に基づいてチルトの調整動作を行うように構成されている。斯かる技術によれば正確なチルト制御を行うことが出来るもののチルトセンサーは高価であり、光ディスク記録再生装置が高価になるという問題がある。
【０００７】
また、光学式ピックアップに組み込まれているチルト調整用コイルは、対物レンズを支持する支持部材に固定されているが、その取付け位置にズレがあるだけでなく周囲の温度変化、光ディスク記録再生装置の姿勢変化及び経時変化があるため、チルト用コイルに駆動電圧が供給されていない状態におけるチルトの角度は一定にはならない。従って、斯かる状態のままでチルト調整動作が行われた場合正確なチルト調整が行われないという問題がある。
【０００８】
本発明は、斯かる問題を解決することが出来るチルト制御方法を提供しようとするものである。
【０００９】
【作用】
請求項１に記載の発明は、対物レンズの傾きを調整するチルト調整用コイルを備えた光学式ピックアップを使用する光ディスク記録再生装置において、ディスクの内周側に設けられている試し書き領域にチルト調整用コイルに供給するオフセット検出用の駆動信号のレベルを変化させながらオフセット調整用信号を記録した後該オフセット調整用信号の再生動作を行い、再生されるＲＦ信号のピークレベルを検出し、その検出されるピークレベルが最大となる信号を記録したときにチルト調整用コイルへ供給された駆動信号のレベルをオフセット値として設定し、チルト制御を行うチルト信号に前記オフセット値を加算することによってチルト制御を行うように構成されている。
【００１０】
請求項２に記載の発明は、対物レンズの傾きを調整するチルト調整用コイルを備えた光学式ピックアップを使用する光ディスク記録再生装置において、ディスクの内周側に設けられている試し書き領域にチルト調整用コイルに供給するオフセット検出用の駆動信号のレベルを変化させながらオフセット調整用信号を記録した後該オフセット調整用信号の再生動作を行い、再生されるＲＦ信号のボトムレベルを検出し、その検出されるボトムレベルが最小となる信号を記録したときにチルト調整用コイルへ供給された駆動信号のレベルをオフセット値として設定し、チルト制御を行うチルト信号に前記オフセット値を加算することによってチルト制御を行うように構成されている。
【００１１】
請求項３に記載の発明は、対物レンズの傾きを調整するチルト調整用コイルを備えた光学式ピックアップを使用する光ディスク記録再生装置において、ディスクの内周側に設けられている試し書き領域にチルト調整用コイルに供給するオフセット検出用の駆動信号のレベルを変化させながらオフセット調整用信号を記録した後該オフセット調整用信号の再生動作を行い、再生されるＲＦ信号のピークレベル及びボトムレベルを検出し、その検出されるピークレベルとボトムレベルとの差が最大となる信号を記録したときにチルト調整用コイルへ供給された駆動信号のレベルをオフセット値として設定し、チルト制御を行うチルト信号に前記オフセット値を加算することによってチルト制御を行うように構成されている。
【００１２】
【実施例】
図１は本発明に係る光ディスク記録再生装置の一実施例を示すブロック回路図、図２は本発明の動作を説明するための信号波形図である。
【００１３】
図１において、１はスピンドルモーター（図示せず）によって回転駆動されるターンテーブル（図示せず）に載置されるディスクであり、該ターンテーブルの回転により回転駆動されるように構成されているとともに内周側には記録動作を行う場合にレーザー出力を調整するための試し書き領域が設けられている。
【００１４】
また。前記ディスク１には、位置情報データがプリグルーブと呼ばれる溝によって記録されており、この溝より得られるウォブル信号に基づいて信号の記録再生動作が行われるように構成されている。２はディスク１にレーザー光である光ビームを照射させるレーザーダイオード３及び該レーザーダイオードより照射される光をモニターするモニター用ダイオード(図示せず)が組み込まれているとともにディスク１の信号面より反射される光ビームを受ける光検出器４が組み込まれている光学式ピックアップであり、ピックアップ送り用モーター（図示せず）によってディスク１の径方向に移動せしめられるように構成されている。
【００１５】
また、前記光学式ピックアップ２には、対物レンズ（図示せず）をディスク面方向へ変位させるフォーカシングコイル５、対物レンズをディスク１の径方向へ変位させるトラッキングコイル６及び対物レンズのディスク１に対する角度を調整するチルト調整用コイル７が組み込まれている。
【００１６】
８は前記光学式ピックアップ２に組み込まれている光検出器４から得られる信号に基づいて前記光学式ピックアップ２の光ビームをディスク１の信号面に合焦させるフォーカシング制御動作及び該光ビームを前記信号面の信号トラックに追従させるトラッキング制御動作を行うピックアップ制御回路であり、トラッキングエラー信号に基づくトラッキング制御信号及びフォーカスエラー信号に基づくフォーカシング制御信号を出力するように構成されている。
【００１７】
９は前記ピックアップ制御回路８より出力されるトラッキング制御信号が入力されるトラッキングコイル駆動回路であり、前記光学式ピックアップ２に組み込まれているトラッキングコイル６に駆動信号を供給するように構成されている。１０は前記ピックアップ制御回路８より出力されるフォーカシング制御信号が入力されるフォーカシングコイル駆動回路であり、前記光学式ピックアップ２に組み込まれているフォーカシングコイル５に駆動信号を供給するように構成されている。
【００１８】
１１は前記光学式ピックアップ２に組み込まれている光検出器４より得られるＲＦ信号が入力されるとともに該信号を増幅するＲＦ信号増幅回路であり、図２に示す波形のＲＦ信号を出力するように構成されている。１２は前記ＲＦ信号増幅回路１１より出力されるＲＦ信号が入力されるピークレベル検出回路であり、図２に示す波形図において、上方の実線Ｐで示すレベル、即ちピークレベルを検出する作用を成すものである。１３は前記ＲＦ信号増幅回路１１より出力されるＲＦ信号が入力されるボトムレベル検出回路であり、図２に示す波形図において、下方の実線Ｑで示すレベル、即ちボトムレベルを検出する作用を成すものである。
【００１９】
１４は前記ピークレベル検出回路１２及びボトムレベル検出回路１３より検出されて出力される信号、即ちＲＦ信号より得られるピークレベルとボトムレベルの値が入力されるとともに前記フォーカシングコイル駆動回路１０より出力される駆動信号から得られるチルト調整用信号に基づいてチルト制御動作を行うチルト制御回路、１５は前記チルト制御回路１４より出力される信号によってその動作が制御されるチルトコイル駆動回路であり、前記光学式ピックアップ２に組み込まれているチルト調整用コイル７にチルト調整用の駆動信号を供給するように接続されている。
【００２０】
１６は記録動作を行う前に行われるオフセット検出動作時動作状態になるオフセット検出回路であり、チルト制御回路１４よりチルトコイル駆動回路１５に対して段階的にチルトを変更させる駆動信号をチルト用コイル７に出力させる制御信号を出力するように構成されている。１７は後述するオフセット検出動作によって検出されたオフセット値が記憶されるメモリー回路であり、記録再生動作状態におけるチルト制御動作を行うときフォーカシングコイル駆動回路１０より得られるチルト調整用信号に加算するオフセット信号を出力させる作用を有している。
【００２１】
１８は前記光学式ピックアップ２に組み込まれているレーザーダイオード３に駆動電流を供給するレーザー駆動回路、１９は記録信号をディスク１に記録するための信号にエンコードして前記レーザー駆動回路１８に供給する信号記録用回路であり、オフセット検出動作時オフセット調整用信号を出力するように構成されている。
【００２２】
以上に説明したように本発明に係る光ディスク記録再生装置は構成されているが、次に動作について説明する。通常の記録動作や再生動作が行われている状態では、光学式ピックアップ２に組み込まれている光検出器４より得られる信号からフォーカスエラー信号やトラッキングエラー信号を生成し、そのエラー信号に基づいてフォーカシング制御動作及びトラッキング制御動作を行うための制御動作がピックアップ制御回路８によって行われる。
【００２３】
前記ピックアップ制御回路８による各動作を行うための制御動作が行われると、フォーカシングコイル駆動回路１０及びトラッキングコイル駆動回路９に該ピックアップ制御回路８より制御信号が出力される。その結果、前記フォーカシングコイル駆動回路１０及びトラッキングコイル駆動回路９よりフォーカシングコイル５及びトラッキングコイル６に対して駆動電流が供給される。斯かる動作が行われる結果、光学式ピックアップ２より照射される光ビームをディスク１上の信号面に合焦させるフォーカシング制御動作及び信号トラックに追従させるトラッキング制御動作を行うことが出来る。
【００２４】
以上に説明したようにピックアップ制御回路８によるフォーカシング制御動作及びトラッキング制御動作は行われるが、次に本発明の要旨であるチルト制御方法について説明する。
【００２５】
本発明に係る光ディスク記録再生装置では、記録動作を行う前にチルト制御動作を正確に行うために必要なオフセット値の設定動作が行われる。斯かる設定のための動作は、オフセット検出回路１６からチルト制御回路１４に対してオフセット値を設定するための動作を行うための信号が出力される。
【００２６】
斯かる動作は、通常のチルト制御動作を行わない状態において、チルトコイル駆動回路１５からチルト用コイル７に対してチルトの角度を１段ずつ変更させるための信号を段階的に出力させるという制御動作が行われる。
【００２７】
斯かる制御信号がチルト制御回路１４より出力されると、前記チルトコイル駆動回路１５からチルト調整用コイル７に対して、対物レンズの傾きを一方の方向に１段階変更させるための駆動信号が供給される。その結果、前記チルト調整用コイル７の駆動動作によって対物レンズがチルト調整を行う方向に１段階傾けられる。
【００２８】
オフセット検出動作時には、前記オフセット検出回路１６から出力される信号によって対物レンズの傾きが１段階ずつ変更する動作が行われるが、斯かる動作は、ディスク１の内周側に設けられている試し書き領域にオフセット調整用信号を記録しながら行われる。即ち、信号記録用回路１９よりレーザー駆動回路１８に対してオフセット調整用信号を出力させ、その信号をレーザーダイオード３より出力されるレーザー光によってディスク１の試し書き領域に記録する動作が行われる。斯かる記録動作が行われているとき、その記録位置とオフセット信号検出回路１６より出力される信号のレベルとの関係がメモリー回路１７等に記憶されるように構成されている。
【００２９】
オフセット検出回路１６より出力される信号に基づいて対物レンズの傾き変更動作が終了するとディスク１に記録されたオフセット調整用信号の再生動作が行われる。斯かる信号の再生動作は、オフセット調整用信号の記録動作を開始した位置に光学式ピックアップ２の位置を移動させるとともにチルト調整用コイル７に駆動信号を供給していない状態、対物レンズを中立の位置にした状態にて行われる。
【００３０】
対物レンズのディスク１に対する角度を変化させながら記録されたオフセット調整用信号の再生動作をすると、ディスク１から反射して得られるＲＦ信号のレベルが変化することになる。ディスク１の試し書き領域に記録されているオフセット調整用信号は、ＲＦ信号増幅回路１１によって増幅された後ピークレベル検出回路１２及びボトムレベル検出回路１３に入力される。
【００３１】
ディスク１の信号面に対する光学式ピックアップ２の傾きが正しい方向に調整されるに従って、ＲＦ信号の中のピークレベルは大きくなり、ボトムレベルは反対に小さくなる。それ故、チルトの傾きを段階的に変更しながら記録された信号を再生するとピークレベルが最大になった後に小さくなり、ボトムレベルは最小になった後に大きくなる。
【００３２】
前記チルト調整用コイル７の駆動動作によって対物レンズがチルト調整を行う方向に段階的に傾けながらオフセット調整用信号を記録すると、その再生信号であるＲＦ信号のピークレベル及びボトムレベルが変化するため、ピークレベルが最も大きくなるオフセット調整用信号が記録されている位置又はボトムレベルが最も小さくなるオフセット調整用信号が記録されている位置における駆動電圧がチルト用コイル７に供給されたときにチルト制御回路１４より出力された制御信号の値をオフセット値としてメモリー回路１７に記憶させる動作が行われる。
【００３３】
以上のオフセット値設定動作は、ＲＦ信号のピークレベルが最大になること又はボトムレベルが最小になることを利用する場合であるが、ＲＦ信号のピークレベルとボトムレベルとの差を利用することも出来る。即ち、対物レンズの傾きがディスク１の信号面に最適な状態で記録された信号を再生したときピークレベルとボトムレベルとの差が最も大きくなるという特性があるので、この差が最も大きくなるオフセット調整用信号が記録されている位置における駆動電圧がチルト用コイル７に供給されたときにチルト制御回路１４より出力された制御信号の値をオフセット値としてメモリー回路１７に記憶させる動作が行われる。
【００３４】
以上に説明したようにオフセット値がメモリー回路１７に記憶されるが、次にチルト調整動作について説明する。
【００３５】
光ディスク記録再生装置が再生状態又は記録状態にあるとき、光学式ピックアップ２とディスク１との関係がチルト調整を行う必要がある状態になるとチルト調整用コイル７に対物レンズの傾きを変更するための駆動信号が供給されるが、この傾きを変更するためのチルト調整信号はフォーカシングコイル５に供給される駆動信号を利用して行われる。フォーカシングコイル駆動回路１０よりフォーカシングコイル５に供給される駆動信号は、直流電圧に交流信号が重畳された信号である。即ち、直流電圧は、対物レンズの位置を動作位置にする信号であり、交流信号はディスク１の速い動きに追従させて対物レンズを変位させるための信号である。そして、前述した直流電圧は、ディスク１の信号面と光学式ピックアップ２の位置関係に応じて対物レンズを動作位置に変位させる信号であり、この直流電圧の変化を利用することによってチルト調整を行うことが出来る。
【００３６】
フォーカシングコイル駆動回路１０よりからフォーカシングコイル５に対して出力される駆動信号に含まれる直流電圧の変化成分をチルト調整用信号として抽出し、この抽出された信号に前記メモリー回路１７に記憶されているオフセット値を加算した信号をチルト制御用の信号としてチルトコイル駆動回路１５に供給する。斯かる動作が行われる結果、チルトコイル駆動回路１５からチルト調整用コイル７に対してチルト調整用の駆動信号が供給されるので光学式ピックアップ２のディスク１に対する角度を最適な状態に調整するための動作、即ちチルト調整動作が正確に行われることになる。
【００３７】
尚、本実施例では、チルト調整用の信号をフォーカシングコイル５に供給される駆動信号より得るようにしたが、ＲＦ信号のレベル変化を利用してチルト調整を行うように構成された装置に使用することも出来る。
【００３８】
【発明の効果】
本発明は、対物レンズの傾きを調整するチルト調整用コイルを備えた光学式ピックアップを使用する光ディスク記録再生装置において、ディスクの内周側に設けられている試し書き領域にチルト調整用コイルに供給するオフセット検出用の駆動信号のレベルを変化させながらオフセット調整用信号を記録した後該オフセット調整用信号の再生動作を行い、再生されるＲＦ信号のピークレベル又はボトムレベルを検出し、その検出されるピークレベルが最大となる信号、ボトムレベルが最小となる信号又はピークレベルとボトムレベルとの差が最大となる信号を記録したときにチルト調整用コイルへ供給された駆動信号のレベルをオフセット値として設定し、チルト制御を行うチルト信号に前記オフセット値を加算することによってチルト制御を行うようにしたので、チルト調整用コイルの取付け位置のズレ、温度変化及び経時変化による影響を受けることなく正確なチルト調整を行うことが出来る。
【図面の簡単な説明】
【図１】本発明に係る光ディスク記録再生装置の一実施例を示すブロック回路図である。
【図２】本発明の動作を説明するための信号波形図である。
【符号の説明】
１        ディスク
２        光学式ピックアップ
３        レーザーダイオード
４        光検出器
５        フォーカシングコイル
６        トラッキングコイル
７        チルト調整用コイル
８        ピックアップ制御回路
１０        フォーカシングコイル駆動回路
１１        ＲＦ信号増幅回路
１２        ピークレベル検出回路
１３        ボトムレベル検出回路
１４        チルト制御回路
１５        チルトコイル駆動回路
１６        オフセット検出回路
１７        メモリー回路
【図１】
2004192754.tif 000003
【図２】
2004192754.tif 000004